(57)【要約】      （修正有）【課題】簡単に脚が折り畳まれる構造を有するテーブル用の折り畳み式フレームを提供する。【解決手段】上板フレームを構成する横型パイプ１１１の両端に末端部材１２０を設け、前記末端部材１２０にヒンジピン１０２によって結合される脚部材を設けたテーブル用の折り畳み式フレームにおいて、前記脚部材の上端に長手方向にガイド溝１３１ａを形成し、前記末端部材１２０には、上端部から下向きに締結溝とこれに続く曲線ガイド部１２５を形成する。前記ガイド溝材１３１ａに沿って脚の長手方向に移動可能な可動係止片１０３を締結溝にも係合可能に組み付け、可動係止片１０３と前記ヒンジピンとの間に圧縮バネ１０５を係止し、この引張力によって脚部材が起立した状態を持続的に維持する。【選択図】図５
2011030644.tif 000002
【特許請求の範囲】
【請求項１】
上板（２００）の下部に固定される上板フレーム（１１０）と、前記上板フレーム（１１０）の両端に固定される末端部材（１２０）と、前記末端部材（１２０）にヒンジピン（１０２）によってヒンジ結合される脚部材（１３０）とからなるテーブル用の折り畳み式フレームにおいて、
前記脚部材（１３０）は、上端に長手方向にガイド溝（１３１ａ）が形成されて可動係止片（１０３）が係合するものの、前記可動係止片（１０３）とヒンジピン（１０２）との間には圧縮バネ（１０５）が締結され、
前記末端部材（１２０）は、前記脚部材（１３０）の上端部が挿入される貫通部（１２３）がボディー（１２１）に形成されて、ヒンジピン（１０２）によってヒンジ結合され、前記ボディー（１２１）の上部には、前記可動係止片（１０３）が載置可能な締結溝（１２７）が形成され、前記ボディー（１２１）の側部には、前記可動係止片（１０３）を前記締結溝（１２７）にガイドする曲線ガイド部（１２５）が形成され、
前記脚部材（１３０）が広げられるように、前記ヒンジピン（１０２）を中心に前記脚部材（１３０）が回動されれば、前記可動係止片（１０３）が前記末端部材（１２０）の曲線ガイド部（１２５）に沿ってガイドされて、圧縮バネ（１０５）の引張力によって後進して前記締結溝（１２７）に締結されることを特徴とするテーブル用の折り畳み式フレーム。
【請求項２】
前記末端部材（１２０）の貫通部（１２３）の下端には、ボディーの一部を巻き取って貫通部（１２３）の内側に突出させて、前記脚部材（１３０）が広げられれば、前記脚部材（１３０）の側面を支持する巻き取り凸部（１２９）がさらに形成されることを特徴とする請求項１に記載のテーブル用の折り畳み式フレーム。
【請求項３】
前記上板フレーム（１１０）は、所定間隔を維持して配置された横型パイプ（１１１）と、前記横型パイプ（１１１）の間に一体に結合された縦型パイプ（１１３）とからなり、
前記末端部材（１２０）のボディー（１２１）の一側には前記横型パイプ（１１１）の端部が載置される固定部（１２２）が形成されることを特徴とする請求項１に記載のテーブル用の折り畳み式フレーム。
【請求項４】
前記末端部材（１２０）の固定部（１２２）の内側には、前記横型パイプ（１１１）の端部が深く挿入されることを防止するためのストッパー（１２２ｂ）がさらに形成されることを特徴とする請求項３に記載のテーブル用の折り畳み式フレーム。
【請求項５】
前記上板フレーム（１１０）は、所定間隔を維持して配置された横型パイプ（１１１）と、前記横型パイプ（１１１）の間に一体に形成された縦型パイプ（１１３）とからなり、
前記末端部材（１２０）のボディー（１２１）の一側には、前記横型パイプ（１１１）の端部挿入溝（１１１ｂ）に挿入される固定部（１２２）が突設され、前記固定部（１２２）及び前記横型パイプ（１１１）の端部には締結孔（１２２ｃ、１１１ｃ）がそれぞれ貫通形成されて、締結手段（１０７）が貫通締結されることを特徴とする請求項１に記載のテーブル用の折り畳み式フレーム。
【請求項６】
前記上板フレーム（１１０）は、左フレーム部（１１０ａ）と右フレーム部（１１０ｂ）とに分割されて構成され、前記左フレーム部（１１０ａ）及び右フレーム部（１１０ｂ）には複数の連結孔（１１０ｃ、１１０ｄ）が所定間隔を維持して形成されて、締結手段によって結合されることを特徴とする請求項１に記載のテーブル用の折り畳み式フレーム。
【発明の詳細な説明】
【技術分野】
【０００１】
本発明は、テーブル用の折り畳み式フレームに係り、さらに詳細には、テーブルの上板の下部を支持するものの、脚が折り畳まれる構造を有するテーブル用の折り畳み式フレームに関する。
【背景技術】
【０００２】
一般的に、多くの人が共同で使用する学校、学院及び企業の会議室、教会のような空間では、保管の便利さを理由として組み立て式テーブルや折り畳み式テーブルが多く使用されている。
【０００３】
このような組み立て式テーブルや折り畳み式テーブルは、上板を支持するテーブル脚が形成され、前記テーブル脚は、上板を固定するフレームに折り畳み可能に装着される。
【０００４】
このような折り畳み式テーブルまたは組み立て式テーブルは、脚を折り畳んでフレームの内部に収納されるように形成されて、折り畳んだときに折り畳まれた脚が外部に露出されずに安定した状態で折り畳まれて初めて、保管時に安定的に積層して保管することができるようになる。
【０００５】
一方、このような折り畳み式テーブルの一例として、本出願人が先出願して登録された特許文献１に‘折り畳み式机’が開示されている。
【０００６】
前記特許文献１による折り畳み式机は、上板１を支持する上板支持部１０と、前記上板支持部１０を地面から所定間隔離隔させる脚部２０と、前記脚部２０を前記上板支持部１０の底面で折り畳ませる固定部３０と、前記脚部２０を固定させる折り畳み部４０とから形成される折り畳み式机において、前記固定部３０の一側に下方に延設され、内側に折り曲げられるように形成した支持具３１と、前記折り畳み部４０の外周部に形成され、固定ピン２を貫通及び固定させる固定孔４１ａを形成した固定具４１と、前記脚部２０の折り畳みによってガイドされるように長手方向に形成され、前記固定孔４１ａと一致するように形成されて、固定ピン２を貫通させるガイド孔５１と、本及び物などを配置及び支持させる支持台５２を形成した棚５０と、からなる。
【０００７】
ところが、前記特許文献１の構造によれば、脚部２０が折り畳み部４０によって固定される構造を有するが、前記折り畳み部４０は、前記脚部２０を固定させる固定具４１と、手で把持する把持具４２とから構成され、前記固定具４１の一側は、前記上板支持部１０に固定され、他側は、前記脚部２０に固定されるように形成され、前記固定具４１の一側が折り畳まれるように形成され、外周面に固定ピン２を貫通及び固定させる固定孔４１ａと、前記固定具４１の一側が折り畳まれないように弾性力を有するバネ４１ｂとを形成する構造を有することから、その構造が複雑であり、製造コストが上昇するという問題点がある。
【０００８】
一方、前記特許文献１は、固定具４１の一側が折り畳まれる構造を有するため、少しの外力によって固定具４１が折り畳まれる場合、脚部２０が容易に折り畳まれることができるため、安全に使用できないという構造的な短所がある。
また、長期間の使用時に脚部２０に緩みが生じ、揺れによって安全性が低下する短所もある。
【先行技術文献】
【特許文献】
【０００９】
【特許文献１】韓国実用新案第２０−０３０３６３７号明細書
【発明の概要】
【発明が解決しようとする課題】
【００１０】
本発明は、前記問題点を解決するためになされたものであって、脚部材の折り畳みのための構造を単純化して製造コストを低減させると同時に、脚部材を広げた場合に、その状態が外力によって折り畳まれることを防止して、脚部材が安定的に広げられた状態を維持する構造を有するテーブル用の折り畳み式フレームを提供することを目的とする。
【００１１】
また、本発明は、上板に応じてサイズを容易に調節することができるテーブル用の折り畳み式フレームを提供することを他の目的とする。
【課題を解決するための手段】
【００１２】
前記目的を達成するために、本発明は、上板の下部に密着固定される上板フレームと、前記上板フレームの両端に固定される末端部材と、前記末端部材のボディーにヒンジピンでヒンジ結合される脚部材とからなるテーブル用の折り畳み式フレームにおいて、前記脚部材は、上端に長手方向にガイド溝が形成されて、可動係止片が係合されるものの、前記可動係止片とヒンジピンとの間には圧縮バネが締結され、前記末端部材は、前記脚部材の上端部が挿入される貫通部がボディーに形成されて、ヒンジピンによって回動自在に結合され、前記ボディーの上部には、前記可動係止片が載置可能な締結溝が形成され、前記ボディーの側部には、前記可動係止片を前記締結溝にガイドする曲線ガイド部が形成され、前記脚部材が広げられるように、前記ヒンジピンを中心に前記脚部材が回動されれば、前記可動係止片が前記末端部材の曲線ガイド部に沿ってガイドされて、圧縮バネの引張力によって後進して前記締結溝に締結されることを特徴とするテーブル用の折り畳み式フレームを提供する。
【００１３】
このとき、前記上板フレームは、左フレーム部と右フレーム部とに分割されて構成されるものの、前記左フレーム部及び右フレーム部には複数の連結孔が所定間隔を維持して形成されて、締結手段によって結合されることを特徴とする。
【発明の効果】
【００１４】
本発明によれば、脚部材の折り畳みのための構造が単純であり、製作が容易であり、かつ製造コストを低減させることができる。
【００１５】
また、脚部材を広げた場合に、脚部材に外力が加えられても可動係止片が末端部材の締結溝から離脱せず、可動係止片を末端部材の締結溝から強制的に分離した後、脚部材を回動させない状態では脚部材が広げられた状態を持続的に維持し安定的に使用することができる。
【００１６】
また、本発明は、上板フレームを左フレーム部と右フレーム部とに分割することによって、上板のサイズによって左フレーム部及び右フレーム部を適切に調節することができるため、フレームの製作コストを低減させることができる。
【図面の簡単な説明】
【００１７】
【図１】本発明に係るテーブル用の折り畳み式フレームの脚部が折り畳まれた状態を示す斜視図である。
【図２】本発明に係るテーブル用の折り畳み式フレームの末端板を示す図面である。
【図３】本発明に係るテーブル用の折り畳み式フレームの脚部材を広げた状態を示す斜視図である。
【図４】本発明に係るテーブル用の折り畳み式フレームの脚部材を折り畳んだ状態を示す要部断面図である。
【図５】本発明に係るテーブル用の折り畳み式フレームの脚部材を広げた状態を示す要部断面図である。
【図６Ａ】図２のＡ−Ａ’線による断面図である。
【図６Ｂ】図２のＡ−Ａ’線による他の実施形態を示す断面図である。
【図７】本発明の他の実施形態による末端部材を上板フレームに結合した状態を示す図面である。
【図８】本発明のさらに他の実施形態による末端部材を上板フレームに結合した状態を示す図面である。
【図９】本発明の他の実施形態によるテーブル用の折り畳み式フレームを示す図面である。
【発明を実施するための形態】
【００１８】
以下、添付図面を参照して、本発明に係るテーブル用の折り畳み式フレームの実施形態について詳細に説明する。
【００１９】
図１は、本発明に係るテーブル用の折り畳み式フレームの脚部が折り畳まれた状態を示す斜視図であり、図２は、本発明に係るテーブル用の折り畳み式フレームの末端板を示す図面であり、図３は、本発明に係るテーブル用の折り畳み式フレームの脚部材を広げた状態を示す斜視図であり、図４は、本発明に係るテーブル用の折り畳み式フレームの脚部材を折り畳んだ状態を示す要部断面図であり、図５は、本発明に係るテーブル用の折り畳み式フレームの脚部材を広げた状態を示す要部断面図であり、図６Ａは、図２のＡ−Ａ’線による断面図であり、図６Ｂは、図２のＡ−Ａ’線による他の実施形態を示す断面図であり、図７は、本発明の他の実施形態による末端部材を上板フレームに結合した状態を示す図面であり、図８は、本発明のさらに他の実施形態による末端部材を上板フレームに結合した状態を示す図面であり、図９は、本発明の他の実施形態によるテーブル用の折り畳み式フレームを示す図面である。
【００２０】
図１ないし図６Ｂに示すように、本発明に係るテーブル用の折り畳み式フレームは、上板２００の底面に付着固定されるものであって、脚部材１３０が上板フレーム１１０の両側に折り畳み可能に形成される。
【００２１】
このようなテーブル用の折り畳み式フレームは、木材などを加工してなる所定面積を有する上板２００の下面に密着固定される上板フレーム１１０と、前記上板フレーム１１０の両端に固定される末端部材１２０と、前記末端部材１２０に端部がヒンジピン１０２によって締結されて回動自在に形成される脚部材１３０と、からなる。
【００２２】
以下、それぞれの構成要素についてさらに詳細に説明する。
前記上板フレーム１１０は、二つの横型パイプ１１１が所定間隔を維持して配置され、前記横型パイプ１１１の間には溶接などの方法によって一体に固定される縦型パイプ１１３が形成される。
【００２３】
このとき、前記横型パイプ１１１の表面には締結孔１１１ａが貫通形成されて、上部に載置される上板がボルトのような締結手段によって結合固定される。
【００２４】
一方、前記上板フレーム１１０の両端には末端部材１２０が固定されるが、前記末端部材１２０には脚部材１３０の上部がヒンジ結合される。
【００２５】
このような末端部材１２０は、ボディー１２１の一側に前記上板フレーム１１０を構成する横型パイプ１１１の端部が結合固定される固定部１２２が形成され、前記ボディー１２１には上下に貫通部１２３が形成されて、前記脚部材１３０の上端部が挿入され、前記ボディー１２１の下端の側部には、前記脚部材１３０が前記横型パイプ１１１側に回動するように、前記脚部材１３０の上部を貫通するヒンジピン１０２によって結合される。
【００２６】
そして、前記脚部材１３０の上端には、脚部材１３０の長手方向にガイド溝１３１ａが形成され、前記ガイド溝１３１ａには、前記ガイド溝１３１ａに沿って脚部材１３０の長手方向に移動する可動係止片１０３が形成され、前記可動係止片１０３と前記脚部材１３０の内側を貫通するヒンジピン１０２とには圧縮バネ１０５によって引張力が加えられて、前記可動係止片１０３が前記ガイド溝１３１ａから離脱することを防止する。
【００２７】
一方、前記末端部材１２０のボディー１２１の側部には曲線ガイド部１２５が形成され、前記曲線ガイド部１２５の上端からボディー１２１の下向きに締結溝１２７が形成される。このような曲線ガイド部１２５は、前記末端部材１２０のボディー１２１に固定されるヒンジピン１０２から同じ距離の円弧上に位置して、前記可動係止片１０３が密着して移動する。
【００２８】
また、前記末端部材１２０の締結溝１２７には、脚部材１３０の回動によって前記曲線ガイド部１２５を乗り越えた可動係止片１０３が圧縮バネ１０５の引張力によって後進して締結される。
【００２９】
このとき、前記締結溝１２７は、後端が傾くように形成されて、脚部材１３０を振るほどさらに深く挿入されて、脚部材１３０の揺れが減り、耐久性及び信頼性が確保される。
【００３０】
また、前記ボディー１２１の貫通部１２３の下端には、ボディー１２１の一部を巻き取って貫通部１２３の内側に突出させて、前記脚部材１３０が広げられる場合に脚部材１３０の側面を支持する巻き取り凸部１２９がさらに形成される。このような巻き取り凸部１２９によって脚部材１３０が広げられた場合、脚部材１３０の側部が安定的に支持される。もちろん、脚部材１３０の側部が緩くなった状態で支持される場合、巻き取り凸部１２９を脚部材１３０の側部に密着させるように調整することも可能である。
【００３１】
そして、前記末端部材１２０のボディー１２１の一側に前記横型パイプ１１１の端部が結合固定される固定部１２２は、図６Ａに示すように上部が開放され、両下端を折り曲げて前記横型パイプ１１１の下端部を支持する支持突起１２２ａを形成し、前記横型パイプ１１１の端部を支持し、その状態で前記横型パイプ１１１を取り囲む固定部１２２の上端部と前記支持突起１２２ａの端部とを溶接Ｐによって一体に結合させる。
【００３２】
図６Ｂに示すように、前記末端部材１２０のボディー１２１の一側に前記横型パイプ１１１の端部が結合固定される固定部１２２は、前記横型パイプ１１１の端部の両側に密着した状態で前記横型パイプ１１１を取り囲む固定部１２２の上端部及び下端部を溶接Ｐによって一体に結合させることも可能であるということは言うまでもない。
【００３３】
一方、前記脚部材１３０は、両側に脚１３１、１３２が所定間隔を維持して形成され、前記脚１３１、１３２の間には間隔維持部材１３３が一体に結合され、堅い状態を維持させる。
【００３４】
また、前記両側に形成される脚部材１３０の間には、リンク１４２によって連結される棚１４０がさらに形成されて、物を乗せることができる。
【００３５】
以下、図１ないし図６Ｂを参照して、本発明に係るテーブル用の折り畳み式フレームの折り畳み過程を詳細に説明する。
【００３６】
先ず、脚が折り畳まれた状態では、可動係止片１０３が脚部材１３０のガイド溝１３１ａから端部方向に移動した状態を維持し、その状態で前記脚部材１３０をヒンジピン１０２を中心に回動させる場合、前記可動係止片１０３が前記曲線ガイド部１２５に沿って円滑に回動することが可能である。
【００３７】
このとき、前記脚部材１３０を前記ヒンジピン１０２を中心に完全に広げる場合、前記可動係止片１０３は、前記末端部材１２０の曲線ガイド部１２５を乗り越えて移動する。したがって、前記脚部材１３０のガイド溝１３１ａと末端部材１２０の締結溝１２７とが一致して、圧縮バネ１０５によって引っ張られる前記可動係止片１０３がヒンジピン１０２側に引っ張られて、前記可動係止片１０３が脚部材１３０のガイド溝１３１ａ及び末端部材１２０の締結溝１２７の内側に引っ張られる。
【００３８】
そのような状態で前記脚部材１３０を折り畳むために回動させても、可動係止片１０３が前記脚部材１３０のガイド溝１３１ａ及び末端部材１２０の内側に引っ張られ、締結溝１２７に締結された状態であるため回動せず、脚部材１３０が広げられた状態を維持する。
【００３９】
一方、前記脚部材１３０を折り畳むためには、前記可動係止片１０３を前記脚部材１３０の上端側に引っ張って前記末端部材１２０の係止溝１２７から離脱させた後、前記脚部材１３０を前記ヒンジピン１０２を中心に少し回動させれば、前記可動係止片１０３が前記末端部材１２０の曲線ガイド部１２５に乗り込み、その状態で前記脚部材１３０を続いてヒンジピン１０２を中心に回動させることによって脚部材１３０を折り畳むことができる。
【００４０】
また、図７は、末端部材１２０の他の締結状態を示す図面であって、末端部材１２０のボディー１２１の一側に固定部１２２を横型パイプ１１１の端部に挿入し、末端部材１２０の固定部１２２を前記横型パイプ１１１の端部挿入溝１１１ｂに挿入する。
【００４１】
このとき、前記固定部１２２及び前記横型パイプ１１１の端部にはそれぞれ締結孔１２２ｃ、１１１ｃが側面から貫通形成されて、ボルト１０７ａ及び蝶ナット１０７ｂからなる締結手段１０７が貫通締結されて、前記横型パイプ１１１の端部に末端部材１２０が一体に結合固定される。
【００４２】
一方、前記締結手段１０７は、単にボルト及びナットの締結構造を有するか、またはリベットを通じて結合することも可能であるが、別途の工具なしでも分解組み立てが容易であるように蝶ナット１０７ｂを使用する。
【００４３】
また、図８は、末端部材１２０のさらに他の締結状態を示す図面であって、末端部材１２０の固定部１２２の内側には、前記横型パイプ１１１の端部の挿入載置時に所定深さ以上に深く挿入されることを防止するためのストッパー１２２ｂが形成される。
【００４４】
したがって、前記末端部材１２０の固定部１２２の内側に横型パイプ１１１の端部を挿入するとき適正な深さに挿入されるため、組み立てが容易であり、その状態で溶接などによって一体に固定することができる。
【００４５】
そして、図９は、本発明の他の実施形態によるフレームの構造を説明するための図面であって、上板フレーム１１０を左フレーム部１１０ａと右フレーム部１１０ｂとに分割して構成し、前記左フレーム部１１０ａ及び右フレーム部１１０ｂの側部に複数の連結孔１１０ｃ、１１０ｄを所定間隔を維持しつつ形成して、ボルト及びナットのような公知の締結手段で適正な位置に結合させる。
【００４６】
このように、上板フレーム１１０を分割して構成し、適切なサイズに調節することによって、上板２００によって上板フレーム１１０を多様な寸法に製作する必要がなく、上板のサイズによって左フレーム部１１０ａ及び右フレーム部１１０ｂの連結孔１１０ｃ、１１０ｄを適切に位置させた後、締結手段で締結させることによって上板フレーム１１０を所望のサイズに形成することができる。
【００４７】
以上、本発明の実施形態について詳細に説明したが、本発明の権利範囲はこれに限定されるものではなく、本発明の実施形態と実質的に均等の範囲にあるものまでに本発明の権利範囲が及ぶ。
【符号の説明】
【００４８】
１０２  ヒンジピン
１０３  可動係止片
１０５  圧縮バネ
１１０  上板フレーム
１２０  末端部材
１３０  脚部材
２００  上板
【図１】
2011030644.tif 000003
【図２】
2011030644.tif 000004
【図３】
2011030644.tif 000005
【図４】
2011030644.tif 000006
【図５】
2011030644.tif 000007
【図６Ａ】
2011030644.tif 000008
【図６Ｂ】
2011030644.tif 000009
【図７】
2011030644.tif 000010
【図８】
2011030644.tif 000011
【図９】
2011030644.tif 000012